(57)【要約】【課題】伝送装置間でビット反転及び／または信号相殺を抑制して自律的かつ自動的な制御を実現する。【解決手段】第１伝送装置と第２伝送装置の間で周波数変調方式で監視信号の送受信を行う伝送システムにおいて、前記第１伝送装置は、前記第１伝送装置のＩ／Ｑ変調器の出力光の第１の位相回転状態を切り換えながら、前記第２伝送装置のＩ／Ｑ変調器の出力光の第２の位相回転状態の設定を切り換えるコマンドを前記監視信号で前記第２伝送装置に送信し、前記第２伝送装置は、前記監視信号を受信したときに前記第２の位相回転状態を前記コマンドで指示される状態に設定し、受信通知を前記第１伝送装置に送信する。【選択図】図４
2019022060.tif 000002
【特許請求の範囲】
【請求項１】
第１伝送装置と第２伝送装置の間で周波数変調方式で監視信号の送受信を行う伝送システムであって、
前記第１伝送装置は、前記第１伝送装置のＩ／Ｑ変調器の出力光の第１の位相回転状態を切り換えながら、前記第２伝送装置のＩ／Ｑ変調器の出力光の第２の位相回転状態の設定を切り換えるコマンドを前記監視信号で前記第２伝送装置に送信し、
前記第２伝送装置は、前記監視信号を受信したときに、前記第２の位相回転状態を前記コマンドで指示される状態に設定し、受信通知を前記第１伝送装置に送信する、
ことを特徴とする伝送システム。
【請求項２】
前記第１伝送装置は、前記コマンドとともに所定のビットパターンを送信し、
前記第２伝送装置は、前記コマンドを受信したときに、前記ビットパターンのビット反転の有無を判定し、ビット反転が起きているときは、以降の信号をビット反転して受信することを特徴とする請求項１に記載の伝送システム。
【請求項３】
第１伝送装置と第２伝送装置の間で周波数変調方式で監視信号の送受信を行う伝送システムで用いられる第１伝送装置であって、
前記第１伝送装置の第１のＩ／Ｑ変調器の出力光の第１の位相回転状態を切り換えながら、前記第２伝送装置の第２のＩ／Ｑ変調器の出力光の第２の位相回転状態の設定を指示するコマンドを前記監視信号で送信する光送信器、
を有し、
前記光送信器は、前記第２の位相回転状態の設定の指示を切り換えながら前記コマンドを送信することを特徴とする第１伝送装置。
【請求項４】
第１伝送装置と第２伝送装置の間で周波数変調方式で監視信号の送受信を行う伝送システムで用いられる第２伝送装置であって、
前記第１伝送装置から、前記第２伝送装置のＩ／Ｑ変調器の出力光の第２の位相回転状態の設定を指示するコマンドを前記監視信号で受信する光受信器と、
前記コマンドを受信したときに、前記第２の位相回転状態を前記コマンドで指示されている状態に設定し、かつ前記コマンドの受信を示す受信通知を前記第１伝送装置に送信する光送信器と、
を有することを特徴とする第２伝送装置。
【請求項５】
前記光受信器は、ビット反転照合機構、
を有し、
前記ビット反転照合機構は、前記コマンドが受信されたときに、前記コマンドとともに送られてくる所定のビットパターンにおけるビット反転の有無を判定し、ビット反転が起きているときは、以降の信号をビット反転して受信する、
ことを特徴とする請求項４に記載の第２伝送装置。
【請求項６】
第１伝送装置と第２伝送装置の間で周波数変調方式で監視信号の送受信を行う伝送システムであって、
前記第１伝送装置は、前記第１伝送装置のＩ／Ｑ変調器の出力光の第１の位相回転状態の設定を切り換えながら、前記第１の位相回転状態の設定を示す第１の送信値を前記監視信号を用いて前記第２伝送装置に送信し、
前記第２伝送装置は、前記第２伝送装置のＩ／Ｑ変調器の出力光の第２の位相回転状態の設定を切り換えながら、前記第２の位相回転状態の設定を示す第２の送信値を前記監視信号を用いて前記第１伝送装置に送信し、
前記第２伝送装置は、前記第１の送信値を受信したならば、前記第２の送信値とともに前記第１の送信値を前記第１伝送装置に送信する、
ことを特徴とする伝送システム。
【請求項７】
前記第１伝送装置は、前記第２伝送装置から前記第１の送信値を受信したならば、前記第１の位相回転状態を前記第１の送信値で示される設定に固定することを特徴とする請求項６に記載の伝送システム。
【請求項８】
前記第１伝送装置は、前記第２の送信値を受信したならば、前記第１の送信値とともに前記第２の送信値を前記第２伝送装置に送信し、
前記第２伝送装置は、前記第２の送信値を受信したならば、前記第２の位相回転状態を前記第２の送信値で示される設定に固定することを特徴とする請求項６または７に記載の伝送システム。
【請求項９】
第１伝送装置と第２伝送装置の間で周波数変調方式で監視信号の送受信を行う伝送システムで用いられる第１伝送装置であって、
前記第１伝送装置のＩ／Ｑ変調器の出力光の第１の位相回転状態の設定を切り換えながら、前記第１の位相回転状態の設定を示す第１の送信値を前記監視信号を用いて前記第２伝送装置に送信する光送信器と、
前記第２伝送装置から、前記監視信号を受信する光受信器と、
を有し、
前記光送信器は、前記第１の送信値が前記第２伝送装置から返送されて前記光受信器で受信されたときに、前記第１の位相回転状態を前記第１の送信値で示される状態に固定することを特徴とする第１伝送装置。
【請求項１０】
第１伝送装置と第２伝送装置の間で周波数変調方式で監視信号の送受信を行う伝送システムの制御方法であって、
前記第１伝送装置で自装置のＩ／Ｑ変調器の出力光の第１の位相回転状態を切り換えながら、前記第２伝送装置のＩ／Ｑ変調器の出力光の第２の位相回転状態の設定を指示するコマンドを前記監視信号で前記第２伝送装置に送信し、
前記第２伝送装置で前記監視信号が受信されたとときに、前記第２の位相回転状態を前記コマンドで指示される状態に設定し、かつ、前記第１伝送装置に受信通知を送信する、
ことを特徴とする制御方法。
【発明の詳細な説明】
【技術分野】
【０００１】
本発明は、伝送システム、伝送装置、及び制御方法に関する。
【背景技術】
【０００２】
通信容量と設定機能の増加により、マニュアルでの新規の伝送装置（Transponder，以下適宜「ＴＲＰＮ」と省略する）のインストール、既存ＴＲＰＮのメンテナンス等の負荷が増大している。多値度、誤り訂正等のパラメータの設定は、一般的にＳＤＮ（Software-Defined  Networking）により制御されているが、マルチベンダ化により、ＳＤＮで各社の独自機能をすべてサポートするのが困難になってきている。このような状況で、対向するＴＲＰＮ同士がＳＤＮを介さずに、監視制御（Supervisory，以下「ＳＶ」と省略する）信号を直接やりとりして、自動制御する方式が望まれている。
【０００３】
自動制御機能を実現する場合、最小限の設定でＳＶ信号を送受信できる構成が便利である。ひとつの方法として、搬送波周波数に制御チャネルを重畳するＦＳＫ（Frequency  Shift  Keying：周波数偏移変調）方式が提案されている（たとえば、特許文献１〜３参照）。ＦＳＫ方式の信号にＳＶ信号を重畳して伝送する方式を、「ＦＳＫ−ＳＶ方式」と呼ぶ。ＦＳＫ方式は、送信するデータの論理値に対応して搬送波の周波数を変化させる方式である。偏波多重方式の場合、Ｘ偏波とＹ偏波に同じ値を重畳し、受信側で偏波分離をせずに受信する。受信側で周波数の変化の方向を検出することで、データ値を復元することができる。
【０００４】
ＦＳＫ−ＳＶ方式で送信された信号を受信側で監視するモニタ構成も提案されている（たとえば、非特許文献１参照）。ＦＳＫ−ＳＶ方式の制御と、非特許文献１の受信方式を組み合わせることで、主信号が疎通していない場合でもＳＶ信号の送受信が可能になる。
【０００５】
ＦＳＫ−ＳＶ方式の通信では、光変調器の性質、あるいは自動バイアス制御（Automatic  Bias  Control：ＡＢＣ）回路の性質により、ＩＱ変調器から出力される光信号の位相回転方向が反転する、あるいは駆動信号に対する光出力信号の位相がπラジアンシフトする現象が起こり得る。これらの現象をまとめて「位相回転方向の反転」と呼ぶ。位相回転方向が反転すると、ビットが反転し、あるいは値が打ち消されてＦＳＫ−ＳＶ信号が正しく受信できなくなる。
【０００６】
図１Ａのように、ＩＱ変調器の出力で位相回転状態が適正な場合（すなわち位相回転方向の反転が無い場合）、駆動信号により、Ｘ偏波とＹ偏波の双方で同じ方向（たとえば時計回り）に位相が回転し、周波数は同じ方向にシフトする。Ｘ偏波とＹ偏波は合波されて光伝送路に送信され、受信側で周波数シフトの方向を検出して、送信されたデータ値を判別することができる。
【０００７】
図１Ｂは、Ｘ偏波で位相回転方向が反転した場合を示す。Ｙ偏波では、位相は時計回りに回転し、入力されたデータの論理値を表わす方向に周波数がシフトしている。Ｘ偏波で位相は反時計回りに回転し、周波数が逆の方向にシフトしている。Ｘ偏波とＹ偏波が合波されると周波数の変化が打ち消され、受信側でデータを受信することができない。
【０００８】
このような問題に対し、光変調信号に重畳されているＦＳＫ信号の反転を検出して、反転が起きているときに光変調器のバイアス電圧を制御して、Ｉアーム変調器とＱアーム変調器の間の位相差をπだけ変化させる構成が提案されている（たとえば、特許文献４参照）。
【先行技術文献】
【特許文献】
【０００９】
【特許文献１】特許第５２７８００１号
【特許文献２】特許第５７１２５８２号
【特許文献３】特許第５８７０７２８号
【特許文献４】特開２０１６−３４０７８号公報
【非特許文献】
【００１０】
【非特許文献１】Z．Tao  et  al．，“Simple，  Robust，  and  Wide-Range  Frequency  Offset  Monitor  for  Automatic  Frequency  Control  in  Digital  Coherent  Receivers，”ECOC  2007，pp．1-2
【発明の概要】
【発明が解決しようとする課題】
【００１１】
伝送装置間で自動制御を行う場合、片方向だけでなく、双方向でＦＳＫ−ＳＶ方式の制御を一度にできることが望ましい。また、上述したビット反転や信号相殺の問題を双方向で自律的に解決する構成が望まれる。
【００１２】
本発明は、伝送装置間でビット反転及び／または信号相殺を抑制して自律的かつ自動的な制御を実現することを目的とする。
【課題を解決するための手段】
【００１３】
一つの側面において、第１伝送装置と第２伝送装置の間で周波数変調方式で監視信号の送受信を行う伝送システムにおいて、
前記第１伝送装置は、前記第１伝送装置のＩ／Ｑ変調器の出力光の第１の位相回転状態を切り換えながら、前記第２伝送装置のＩ／Ｑ変調器の出力光の第２の位相回転状態の設定を切り換えるコマンドを前記監視信号で前記第２伝送装置に送信し、
前記第２伝送装置は、前記監視信号を受信したときに、前記第２の位相回転状態を前記コマンドで指示される状態に設定し、受信通知を前記第１伝送装置に送信する。
【発明の効果】
【００１４】
伝送装置間でビット反転及び／又は信号相殺を抑制して自律的かつ自動的な制御が可能になる。
【図面の簡単な説明】
【００１５】
【図１Ａ】ＩＱ変調器で位相回転方向の反転がないときの状態を示す図である。
【図１Ｂ】ＩＱ変調器で位相回転方向の反転が生じたときの状態を示す図である。
【図２】実施形態の光送信器と光受信器が適用される光伝送システムの概略図である。
【図３】第１実施形態の制御方法の原理を説明する図である。
【図４】第１実施形態の伝送システムにおける制御方法を示す図である。
【図５】光送信器の構成例を示すブロック図である。
【図６】ＦＳＫ重畳部の構成例を示す図である。
【図７】ＦＳＫ−ＳＶ信号が重畳されているときと、重畳されていないときの電気信号のアイダイアグラムを示す図である。
【図８】実施形態の光受信器の構成例を示す図である。
【図９】ＤＳＰの構成例を示すブロック図である。
【図１０】ＦＳＫ−ＳＶ信号を説明する図である。
【図１１】対向する伝送装置間での動作例１を示す図である。
【図１２】伝送装置２Ａの処理フローを示す。
【図１３】伝送装置２Ｂの処理フローを示す。
【図１４】第１実施形態の伝送システムの変形例を示す図である。
【図１５】変形例での低減された試行パターンを示す図である。
【図１６】第２実施形態の伝送装置間での動作例を示す図である。
【図１７】第２実施形態の伝送装置の動作のフローチャートである。
【図１８】伝送装置の状態遷移を説明する図である。
【図１９】第２実施形態の動作例１を示す図である。
【図２０】図１９の動作時のフローチャートである。
【図２１】第２実施形態の動作例２を示す図である。
【図２２】図２１の動作時のフローチャートである。
【発明を実施するための形態】
【００１６】
図２は、実施形態の光送信器と光受信器が適用される光伝送システムの概略図である。複数のＴＲＰＮが、光伝送路とＲＯＡＤＭ（Reconfigurable  Optical  Add/Drop  Multiplexer：再構成可能光アド／ドロップマルチプレクサ）により相互に接続されている。この光伝送システムでは、ＳＤＮコントローラからの指示を最小限にして、ＴＲＰＮ間で自律制御を行う。自律制御の手段として、主信号が疎通していなくても通信が可能なＦＳＫ−ＳＶ方式を利用する。
【００１７】
ＦＳＫ方式でビット反転や信号相殺の問題を回避するために、ＦＳＫ信号を一方の偏波だけに重畳する、あるいは偏波ごとに振幅を変えることが考えられる。これにより偏波間で信号が打ち消されることは回避できる。しかし、ビット反転の問題は残り、ＦＳＫ伝送の信号品質が悪くなる。実施形態では、対向するＴＲＰＮ間でのＦＳＫ−ＳＶを用いた協調動作によりビット反転やデータ値相殺の問題を解消して、双方向で正しい位相回転状態への制御を自律的かつ自動的に行う。
【００１８】
＜第１実施形態＞
図３は、第１実施形態の制御の原理を説明する図である。光送信器のＤＳＰ（Digital  Signal  Processor：デジタル信号プロセッサ）１２で送信信号にＦＳＫ-ＳＶ信号が重畳される。ＤＳＰ１２から、Ｘ偏波のＩチャネル信号（ＸＩ）とＱチャネル信号（ＸＱ）、及びＹ偏波のＩチャネル信号（ＹＩ）とＱチャネル信号（ＹＱ）が出力され、対応するＤＡＣ１４−１〜１４−４でアナログ変換されて、送信フロントエンド回路１３に入力される。Ｘ偏波の信号ＸＩと信号ＸＱは、ドライバ１６−１、１６−２でそれぞれ増幅されて、Ｉ／Ｑ変調器１７Ｘに入力される。Ｙ偏波の信号ＹＩと信号ＹＱは、ドライバ１６−３、１６−４でそれぞれ増幅されて、Ｉ／Ｑ変調器１７Ｙに入力される。
【００１９】
光源からの光は偏波ビームスプリッタ等によりＸ偏波とＹ偏波に分離され、Ｉ／Ｑ変調器１７ＸとＩ／Ｑ変調器１７Ｙに導かれる。Ｉ／Ｑ変調器１７Ｘに入射したＸ偏波は、ドライバ１６−１、１６−２から出力される信号で変調される。Ｉ／Ｑ変調器１７Ｙに入射したＹ偏波は、ドライバ１６−３、１６−４から出力される信号で変調される。このときＩ／Ｑ変調器の性質、またはＩ／Ｑ変調器に対する自動バイアス制御の性質によって、Ｉ／Ｑ変調器１７ＸとＩ／Ｑ変調器１７Ｙによる光変調時に、位相回転方向の反転が起こり得る。図３ではＩ／Ｑ変調器１７Ｘで位相回転方向が反転する例が描かれているが、実際には、
(1)Ｘ偏波、Ｙ偏波のいずれも位相回転方向が反転しない場合（「反転なし」）、
(2)Ｘ偏波だけ位相回転方向が反転する場合（「Ｘのみ反転」）、
(3)Ｙ偏波だけ位相回転方向が反転する場合（「Ｙのみ反転」）、及び
(4)Ｘ偏波とＹ偏波の両方で位相回転方向が反転する場合（「ＸとＹで反転」）、
の４通りが起こり得る。対向する通信相手のＴＲＰＮでもＸ偏波とＹ偏波のＩ／Ｑ変調器の出力において、４通りの位相回転状態が起こり得る。
【００２０】
そこで、ＴＲＰＮ間で自律的に４通り×４通りのパターンを試行して、対向するＴＲＰＮ間の位相回転状態を正しい状態に調整する。Ｉ／Ｑ変調器１７Ｘ及び１７Ｙから出力される光信号の位相回転状態は、ＤＳＰ１２の制御により調整可能である。たとえば、デジタル信号処理の段階で、Ｉ／Ｑ変調器に入力されるＩチャネル信号とＱチャネル信号を入れ替える、または符号反転させることで、位相回転方向を制御できる。Ｉ／Ｑ変調器１７Ｘと１７Ｙへの入力前の段階で行われるＩチャネルとＱチャネルの入れ替え、または符号反転処理を、便宜上、「ＩＱスワップ」と呼ぶ。また、ＩＱスワップ処理により設定されたＩ−Ｑチャネル間の切換え状態を「IQ  swap」状態と呼ぶ。
【００２１】
図４は、第１実施形態の伝送システム１における制御方法を示す図である。第１実施形態では、伝送装置２Ａと伝送装置２Ｂの間で、ＦＳＫ−ＳＶ信号を利用したマスター−スレーブ方式の協調動作により、双方向で変調器の出力光信号の位相回転状態を適正な状態に制御する。ここでは伝送装置２Ａをマスター、伝送装置２Ｂをスレーブとする。
【００２２】
ステップＳ１で、伝送装置Ａは、自装置の「IQ  swap」状態を順次切り替えながら、相手側の伝送装置Ｂの「IQ  swap」状態を切り替えさせる指示コマンドを、ＦＳＫ−ＳＶ信号で送信する。制御開始時には、伝送装置２Ａも伝送装置２Ｂも、自装置のＩ／Ｑ変調器の出力に位相回転方向の反転が生じているのか否かを知らない。伝送装置２Ａは、自装置の「IQ  swap」状態を以下の４通りで順次切り替える。
(1)Ｘ偏波でもＹ偏波でもＩ／Ｑ変調器への入力段でＩＱスワップが行われない状態（これを「swapなし」と称する）、
(2)Ｘ偏波でのみＩＱスワップが行われる状態（これを「Ｘのみswap」と称する）、
(3)Ｙ偏波でのみＩＱスワップが行われる状態（これを「Ｙのみswap」と称する）、
(4)Ｘ偏波とＹ偏波の両方でＩＱスワップが行われる状態（これを「ＸＹ両方swap」と称する）。
【００２３】
「IQ  swap」状態の切り替えは、たとえば、ＤＳＰ１２でＩチャネル信号とＱチャネル信号を入れ替える、あるいはＩチャネルのＱチャネルの少なくとも一方を符号反転させる等することで可能である。Ｘ偏波とＹ偏波のそれぞれで「IQ  swap」状態の調整を行ってＩ／Ｑ変調器に入力される信号を調整する。
【００２４】
ステップＳ２で、Ｉ／Ｑ変調器の位相回転状態ごとに４通りの指示パターンで、スレーブ、すなわち伝送装置２Ｂの「IQ  swap」状態の設定を指示する。たとえば、マスターの伝送装置２Ａの「IQ  swap」状態を「swapなし」に設定しておき、スレーブの伝送装置２Ｂの「IQ  swap」状態として、「swapなし」、「Ｘのみswap」、「Ｙのみswap」、「ＸＹ両方swap」の４通りを順次指示する。自装置の「swapなし」の設定の下で４通りの指示が送信された後は、自装置の状態を「Ｘのみswap」に切り替え、再度４通りの指示を順次設定して送信する。これにより、１６通りの組み合わせが可能になる。指示コマンドはＦＳＫ−ＳＶ信号として光送信器１０から出力され、光伝送路３でスレーブの伝送装置２Ｂに伝送される。
【００２５】
ステップＳ３で、伝送装置２Ｂは、光受信器２０でＦＳＫ−ＳＶ信号が受信できたら、指示コマンドにしたがって、自装置の「IQ  swap」状態を指示された状態に設定し、ＦＳＫ−ＳＶ信号が正しく受信されたことを示す所定の通知値をＦＳＫ−ＳＶ信号に載せて、光伝送路４に出力する。
【００２６】
ステップＳ４で、伝送装置２Ａが伝送装置２Ｂから通知値を受信できれば、そのときの組み合わせパターンで双方の光変調信号の位相回転状態が正しい状態になったことがわかり、調整が完了する。
【００２７】
この方法によると、伝送装置２Ａまたは２Ｂで、モニタＰＤなどで偏波ごとに変調出力光をモニタして位相回転方向を調べる必要がなく、伝送装置２Ａと２Ｂの間の自律的、かつ自動的な制御で双方の伝送装置のＩ／Ｑ変調器出力の位相回転状態を正しい状態に設定することができる。
【００２８】
図５は、光送信器１０の構成を示すブロック図である。光送信器１０は、制御プロセッサ１１と、ＤＳＰ１２と、ＤＡＣ４１−１〜１４−４と、送信フロントエンド回路１３を有する。制御プロセッサ１１は、ＳＶ信号生成器１１１と、ＩＱスワップ切換え／設定部１１４を有する。ＤＳＰ１２は、主信号処理部１２１と、ＦＳＫ重畳部１２２と、ＩＱスワップ部１２３を有する。
【００２９】
制御プロセッサ１１のＩＱスワップ切換え／設定部１１４は、たとえば運用開始前などに、所定のタイミングで「IQ  swap」状態の切換え／設定指示を、ＤＳＰ１２のＩＱスワップ部１２３に出力する。「IQ  swap」状態の切換え／設定指示は、Ｉ／Ｑ変調器１７に入力されるＩチャネル信号とＱチャネル信号を入れ替える指示、あるいはＩチャネル信号とＱチャネル信号のどちらか一方を符号反転させる指示である（たとえばＱチャネル信号の符号のみ反転）。
【００３０】
ＳＶ信号生成器１１１は、指示コマンド生成器１１２と通知値生成器１１３を有する。指示コマンド生成器１１２は、光送信器１０を有する伝送装置２がマスターとして動作するときに、ＩＱスワップ切換え／設定部１１４による指示に基づいて、対向する伝送装置の「IQ  swap」状態を４パターンで切り換える指示コマンドを順次生成する。生成された指示コマンドは、ＦＳＫ−ＳＶ信号としてＤＳＰ１２のＦＳＫ重畳部１２２に供給される。通知値生成器１１３は、光送信器１０を有する伝送装置２がスレーブとして動作するときに、ＦＳＫ−ＳＶ信号の受信に応答してあらかじめ定義された通知値を生成する。生成された通知値は、ＦＳＫ−ＳＶ信号としてＤＳＰ１２のＦＳＫ重畳部１２２に供給される。
【００３１】
ＤＳＰ１２の主信号処理部１２１は、デジタル信号処理により、入力される送信信号（ユーザデータ）から電界情報を生成してＩ−Ｑ平面（または複素平面上）のシンボル点にマッピングする。変調方式がＤＰ−ＱＰＳＫ（Dual  Polarization-QPSK：偏波多重ＱＰＳＫ）のときは、送信データの論理値に応じてＸ偏波とＹ偏波のそれぞれでＩ−Ｑ平面上の４つのシンボル点のいずれかにマッピングされる。マッピングされた電界情報はＩ（同相）成分とＱ（直交位相）成分を含み、
Ｅ＝Ｉ＋ｊＱ＝Ａ（ｔ）・ｅｘｐ(jθ(t))
で表される。ここで、ｊは虚数単位、Ａ（ｔ）は電界強度（振幅）、θ（ｔ）は電界位相である。なお、制御プロセッサ１１から主信号処理部１２１に、適宜、制御信号や補償データが出力されてもよい。
【００３２】
ＦＳＫ重畳部１２２は、入力された送信信号にＦＳＫ−ＳＶ信号を重畳し、Ｉチャネル用の信号とＱチャネル用の信号に分離して出力する。この例では、偏波多重変調方式を用いているので、ＦＳＫ重畳部１２２はＸ偏波用のＦＳＫ重畳部１２２Ｘと、Ｙ偏波用のＦＳＫ重畳部１２２Ｙを有し、偏波ごとにＦＳＫ−ＳＶ信号の重畳とＩ−Ｑ分離を行う。
【００３３】
図６は、ＦＳＫ重畳部１２２の構成例を示す。ＦＳＫ重畳部１２２は、乗算器１２２１と、Ｉ−Ｑ分離部１２２２を有する。重畳すべきＦＳＫ−ＳＶ信号が有る場合は、乗算器１２２１により入力された主信号にＦＳＫ−ＳＶ信号が乗算されて、Ｉ−Ｑ分離部１２２２に入力される。重畳すべきＦＳＫ−ＳＶ信号がない場合は、主信号のみがＩ−Ｑ分離部１２２２に入力される。
【００３４】
ＦＳＫ−ＳＶ信号は、exp(2πjΔftm(t))で表される。ここで、Δｆは制御信号変調の最大周波数偏移、ｍ（ｔ）は重畳すべきＳＶ信号の波形である。２πΔｆｔｍ（ｔ）は周波数オフセット成分であり、ＳＶ信号の値によって、２πΔｆｔｍ（ｔ）または−２πΔｆｔｍ（ｔ）の位相回転が与えられる。
【００３５】
ＦＳＫ−ＳＶ信号が重畳される場合、乗算器１２２１の出力Ｅ’（ｔ）は、
Ｅ’（ｔ）＝Ｅ（ｔ）＊exp(2πjΔftm(t))
となる。ＳＶ信号が重畳されないときは、左側の下図のように、送信データはＩ−Ｑ平面上のシンボル点に固定的に配置される。ＳＶ信号が重畳されると、右側の下図のように、シンボルの位相が２πΔｆｔｍ（ｔ）だけ回転する。ＳＶ信号の論理値（「０」または「１」）によって、回転の方向が異なる。
【００３６】
ＦＳＫ−ＳＶ信号が重畳された信号は、Ｉ−Ｑ分離部１２２２でＩ成分（実数部に対応する信号成分）とＱ成分（虚数部に対応する信号成分）に分離されて出力される。
【００３７】
図５に戻って、ＩＱスワップ部１２３は、ＩＱスワップ切換え／設定部１１４から出力される切り替え信号に応じて、各偏波でＩＱ変調器に入力されるＩチャネル信号とＱチャネル信号を入れ変える、あるいは、ＩチャネルとＱチャネルのいずれか一方の符号を反転（プラス符号をマイナスに、またはマイナス符号をプラスに）する。ＩＱスワップ処理のための切り替え信号は、上述したように４通りある。すなわち、
(1)Ｘ偏波とＹ偏波でＩＱスワップを行わない「swapなし」、
(2)Ｘ偏波でのみＩＱスワップを行う「Ｘのみswap」、
(3)Ｙ偏波でのみＩＱスワップを行う「Ｙのみswap」、及び
(4)Ｘ偏波とＹ偏波でＩＱスワップを行う「ＸＹ両方swap」
の４通りである。
【００３８】
ＩＱスワップ処理後の電気信号ＸＩ、ＸＱ、ＹＩ、ＹＱは、対応するＤＡＣ１４−１〜１４−４でアナログ変換され、ドライバ１６−１〜１６−４で増幅されて、Ｘ偏波用のＩ／Ｑ変調器１７ＸとＹ偏波用のＩ／Ｑ変調器１７Ｙに入力される。Ｘ偏波用のＩ／Ｑ変調器１７Ｘは、光源１５から出力され偏波分離されたＸ偏波をドライバ１６−１と１６−２から出力される駆動信号で変調する。Ｙ偏波用のＩ／Ｑ変調器１７Ｙは、光源１５から出力され偏波分離されたＹ偏波をドライバ１６−３と１６−４から出力される駆動信号で変調する。駆動信号で変調されたＸ偏波とＹ偏波は偏波合波器１８で合波され、光信号として出力される。ＩＱスワップ処理によりＩ／Ｑ変調器の出力光の位相回転方向が正しい方向に修正されている場合は、ＦＳＫ−ＳＶ信号は相手側の伝送装置で正しく受信される。
【００３９】
図７は、ＦＳＫ−ＳＶ信号が重畳されているとき（w/）と、重畳されていないとき（w/o）の電気信号のアイダイアグラムを示す。ＦＳＫ−ＳＶ信号が重畳されていないときは、波形が同じタイミング、同じ電圧で重なり合ってアイが開いているが、ＦＳＫ−ＳＶ信号が重畳されている場合は、周波数（タイミング）の揺らぎ成分が主信号に乗っている。図７の例では、直交位相（Ｑチャネル）信号のアイダイアグラムを示しているが、同相（Ｉチャネル）信号のアイダイアグラムも、ＦＳＫ−ＳＶ信号の有無によって同様の波形となる。
【００４０】
図８は、実施形態の光受信器２０の構成例を示す図である。図８では、図示の便宜上、一方の偏波成分を処理する部分だけを示すが、他方の偏波成分についても同様の構成で同様の処理が行われる。光受信器２０は、受信フロントエンド回路２１と、局発光源（ＬＯ：Local  Oscillator）２２と、アナログ／デジタル変換器（ＡＤＣ：Analog-to-Digital  Converter）２３と、ＤＳＰ２４を有する。受信フロントエンド回路２１は、たとえば９０°ハイブリッドミキサとバランス型ＰＤを有する集積コヒーレント受信回路（ＩＣＲ：Integrated  Coherent  Receiver）である。ＩＣＲは、受信光信号をＬＯ２２からの局発光と干渉させ、バランス型ＰＤで正相の光電流と逆相の光電流の差分を取り出す。送信側でＦＳＫ−ＳＶ信号が重畳されている場合は、受信光信号にＦＳＫ−ＳＶ信号が含まれている。ＡＤＣ２３は受信フロントエンド回路２１から出力される光電流をデジタルサンプリングして、デジタルデータをＤＳＰ２４に出力する。ＤＳＰ２４は、デジタル信号処理により波形歪等を補償した後、または波形歪等の補償の前に、重畳されているＦＳＫ−ＳＶ信号を取り出す。
【００４１】
図９は、ＤＳＰ２４の構成例を示すブロック図である。ＤＳＰ２４は、主信号受信回路２６と、ＦＳＫ監視信号受信回路２５を有する。主信号受信回路２６は、固定等化器（ＦＥＱ：Fixed  Equalizer）２６１、適応等化器（ＡＥＱ：Adaptive  Equalizer）２６２、周波数オフセット補償及びキャリア位相復元（ＦＯＣ・ＣＰＲ：Frequency  Offset  Compensation  and  Carrier  Phase  Recovery）回路２６３、及びＦＥＣ（Forward  Error  Correction  code：誤り訂正符号）デコーダ２６４を有する。固定等化器２６１は、分散補償、線形補償、非線形補償などを行う。適応等化器２６２は、直交する２つの偏波状態のＤＧＤ（Differential  Group  Delay：群遅延時間差）の補償、残留分散補償などを行う。周波数オフセット補償及びキャリア位相復元回路２６３は、受信光信号のキャリア周波数と局発光の周波数のずれを補償して、キャリアの位相を復元する。周波数オフセット量の検出は周知の方法で行われ、検出された周波数誤差に相当する位相回転速度でコンスタレーションを逆回転させて周波数オフセットを補償する。ＦＥＣデコーダ２６４は、誤り訂正符号を復号してビット誤りを訂正する。
【００４２】
ＦＳＫ監視信号受信回路２５は、ＦＳＫ信号検出回路２５１と、指示コマンド受信回路２５２と、通知値受信回路２５３を有する。図９の例では、ＦＳＫ監視信号受信回路２５は、固定等化処理の後にＦＳＫ信号を取り出しているが、固定等化器２６１の前段でＦＳＫ信号を取り出してもよい。
【００４３】
ＦＳＫ信号検出回路２５１は、たとえば、送信キャリア周波数とＬＯ２２の周波数との差に起因する周波数オフセット量を推定し、推定結果から重畳されたＦＳＫ−ＳＶ信号を復調する。周波数オフセット量は、公知の手法で求めることができる。たとえば、受信信号の同相（Ｉ）成分に、直交位相（Ｑ）成分を１シンボル遅延させた信号の複素共役を乗算し、Ｑ成分に、Ｉ成分を１シンボル遅延させた信号の複素共役を乗算し、２つの積を加算して平均化して周波数オフセット量を求める。復調されたＦＳＫ−ＳＶ信号のうち、「IQ  swap」状態の設定を指示する指示コマンドは、指示コマンド受信回路２５２に入力されてＳＶ信号の値が復元される。指示コマンド受信回路２５２は、この光受信器２０を有する伝送装置がスレーブとして動作する場合に用いられる。指示コマンド受信回路２５２は、指示コマンドを取り出して、自装置の光送信器１０の制御プロセッサ１１に供給する。
【００４４】
復調されたＦＳＫ−ＳＶ信号のうち、通知値は通知値受信回路２５３に入力され、通知値が復元される。通知値受信回路２５３は、この光受信器２０を有する伝送装置がマスターとして動作する場合に用いられる。通知値受信回路２５３は、通知値を取り出して、自装置の光送信器１０の制御プロセッサ１１に供給する。その他のＳＶ信号は、たとえば、伝送装置の光送信器１０と光受信器２０に共通に用いられるプロセッサに入力されて、伝送装置間の監視制御のために用いられる。
【００４５】
図１０は、ＦＳＫ−ＳＶ信号の送信スペクトルの一例を示す。キャリア周波数をΔｆだけ長波長側または短波長側にずらすことで、ＳＶ信号の論理値「１」と「０」を表わす。受信側では、送信されたＳＶ信号のキャリア周波数とＬＯ２２の周波数とのオフセット量からＳＶ信号の値を復元する。
【００４６】
＜第１実施形態の動作例＞
図１１は、伝送システム１における伝送装置２Ａと２Ｂの自律制御の動作例を示す。「ＴＲＰＮ  Ａ」をマスターの伝送装置２Ａ、「ＴＲＰＮ  Ｂ」をスレーブの伝送装置２Ｂとする。協調動作を行う前は、伝送装置２Ａも２Ｂも、自装置のＸ偏波用のＩＱ変調器とＹ偏波用のＩＱ変調器から出力される光信号の位相回転方向がどのようになっているかを知らない。伝送装置２ＡではＹ偏波のみ位相回転方向が反転しており、設定すべき正しい「IQ  swap」状態は「Ｙのみswap」とする。伝送装置２ＢではＸ偏波のみ位相回転方向が反転しており、設定すべき正しい「IQ  swap」状態は「Ｘのみswap」とする。また、伝送遅延時間は１単位時間であると想定する。伝送装置２Ａは、自装置のＩＱスワップ部１２３に設定される「IQ  swap」状態を順次切り替えながら、ＦＳＫ−ＳＶ信号で伝送装置２Ｂへ指示コマンドを送信する。
【００４７】
時間ｔ＝０からｔ＝２まで、伝送装置２Ａは、伝送装置２Ｂからの応答を受信するのに必要な３単位時間、同じ指示コマンドを送信し続ける。たとえば、伝送装置２Ａは、自装置のＩＱスワップ部１２３の状態を「swapなし」に設定し、伝送装置２Ｂに「swapなし」の指示コマンドを送信する。この段階では、まだ伝送装置２ＢからＦＳＫ−ＳＶ信号で送られてくる通知値はない（「ｎ／ａ」）。伝送装置２Ａは自装置の「IQ  swap」状態を「swapなし」に維持したままで、伝送装置２Ｂへの指示コマンドを３単位時間ずつ、順次「Ｘのみswap」、「Ｙのみswap」、「ＸＹ両方swap」と変えながらＦＳＫ−ＳＶ信号を送信する。
【００４８】
ＩＱスワップ部１２３に設定された「IQ  swap」状態により、Ｘ偏波とＹ偏波の変調器出力光の位相回転方向が正しい方向に一致しているときに初めて、伝送装置２ＢでＦＳＫ−ＳＶ信号が受信される。この例では、ｔ＝２４で伝送装置２ＡのＩＱスワップ部１２３が「Ｙのみswap」に設定されるまで正しい位相回転状態が得られていないので、指示コマンドを載せたＦＳＫ信号は伝送装置２Ｂで受信されない。
【００４９】
ｔ＝２４で正しい位相回転状態で送信された指示コマンド「swapなし」は、ｔ＝２５で伝送装置２Ｂに受信される。伝送装置２Ｂは、自装置のＩＱスワップ部１２３を指示コマンドの「IQ  swap」状態、すなわち「swapなし」に設定し、あらかじめ定義された通知値「１」をＦＳＫ−ＳＶ信号で送信する。しかし、伝送装置２Ｂの実際の位相回転状態は「Ｘのみ反転」なので、伝送装置２ＢのＩＱスワップ部１２３に設定された「swapなし」の処理では正しい位相回転状態が得られず、通知値は伝送装置２Ａで受信されない。
【００５０】
ｔ＝２７で、伝送装置２Ａは指示コマンドを「Ｘのみswap」に切り替えてＦＳＫ−ＳＶ信号を送信する。ｔ＝２８で、伝送装置２Ｂは受信した指示コマンドに従って、自装置のＩＱスワップ部１２３の状態を「Ｘのみswap」に設定し、値「１」をＦＳＫ−ＳＶ信号で送信する。伝送装置２Ｂの位相回転状態は「Ｘのみswap」処理により正しい位相回転方向に修正されており、ｔ＝２９で伝送装置２Ａは通知値「１」を受信する。この段階で、伝送装置２Ａと伝送装置２Ｂの双方で、Ｉ／Ｑ変調器での位相回転方向が正しい状態になっており、設定が完了する。伝送装置２Ｂは、所定の時間内に伝送装置２Ａから指示コマンドが送られてこないことにより、自装置の「IQ  swap」状態が正しく設定されたことを認識する。なお、伝送装置２Ａは、次のタイミング（ｔ＝３０）で、伝送装置２Ｂに設定完了の通知を送信してもよい。
【００５１】
この方法により、ＳＤＮコントローラからの制御信号なしに、伝送装置２Ａと伝送装置２Ｂの間で自律的に自装置の「IQ  swap」状態を正しい状態に設定して、変調器の出力光の位相回転方向を正しい方向に設定する。これにより、ＦＳＫ−ＳＶ通信で値の相殺やビット反転を防止することができる。
【００５２】
図１２は、伝送装置２Ａすなわち「ＴＲＰＮ  Ａ」の処理フローを示す。まず、自装置のＩＱスワップ部１２３に設定する「IQ  swap」値と、対向する伝送装置２Ｂに指示する「IQ  swap」値を初期化する（Ｓ１１）。ＩＱ［１］は「swapなし」を示す。ＩＱ［２］は「Ｘのみswap」を示す。ＩＱ［３］は「Ｙのみswap」を示す。ＩＱ［４］は「ＸＹ両方swap」を示す。ｉは伝送装置２ＡのＩＱスワップ部１２３に設定される状態値、ｊは伝送装置２Ｂへの指示コマンドに含まれる状態値である。Ｓ１１の初期化で、ｉ＝０、ｊ＝０に設定される。
【００５３】
次に、自装置のＩＱスワップ部１２３の設定のためにｉの値をインクリメントし（Ｓ１２）、相手側の伝送装置２Ｂへの指示コマンドＩＱ［ｊ］のｊの値をインクリメントする（Ｓ１３）。初期化の直後は、この段階で、伝送装置２ＡのＩＱスワップ部１２３の設定状態は「swapなし」となり、伝送装置２Ｂへの指示コマンドも「swapなし」になる。
【００５４】
制御プロセッサ１１は、ＦＳＫ−ＳＶ信号で規定の通知値を受信したか否かを判断する（Ｓ１４）。規定の通知値を受信できた場合は（Ｓ１４でＹＥＳ）、伝送装置２Ａと伝送装置２Ｂの双方でＩＱスワップ部１２３の設定が正しいことになり、処理を終了する。ステップＳ１４で規定の通知値を受信しない場合は、ｊの値が４を超えるかいなかを判断し、ｊ＝４になるまでｊの値をインクリメントして、Ｓ１３〜Ｓ１５を繰り返す。
【００５５】
ステップＳ１５で、ｊの値が４を超えたなら、ｉの値が４を超えるか否かを判断し（Ｓ１６）、ｉ＝４になるまでｉの値をインクリメントして、Ｓ１２〜Ｓ１６を繰り返す。１６通りのパターンを総当たりで試行し、Ｓ１４で規定の通知値を受信するまで、処理を繰り返す。この方法により、伝送装置２Ａと伝送装置２Ｂの間で自律的に、Ｉ／Ｑ変調器から出力される光信号の位相回転方向を正しい状態に調整することができる。
【００５６】
図１３は、伝送装置２Ｂすなわち「ＴＲＰＮ  Ｂ」の処理フローを示す。伝送装置２Ｂは、「IQ  swap」指示コマンドの受信が成功するまで、ＦＳＫ−ＳＶ信号の受信（Ｓ２１）と、指示コマンドの受信の成否判断（Ｓ２２）を繰り返す。指示コマンドの受信に成功したならば（Ｓ２２でＹＥＳ）、自装置の「IQ  swap」状態を指示コマンドで指示された状態に設定し（Ｓ２３）、既定の通知値（たとえば値“１”）をＦＳＫ−ＳＶ信号で送信する（Ｓ２４）。指示コマンドの値は、所定時間ごと（たとえば３単位時間ごと）に変わり、指示コマンドを受信する限り、指示コマンドで指定される「IQ  swap」状態に設定する処理を行う。ステップＳ２４で送信された通知値が伝送装置２Ａで正しく受信された場合は、その時点で伝送装置２Ａと伝送装置２Ｂの「IQ  swap」状態は正しく設定されているので、以降に送られてくるＦＳＫ−ＳＶ信号には「IQ  swap」状態設定のための指示コマンドは含まれない。
【００５７】
この方法により、伝送装置２Ａと伝送装置２Ｂの間で自律的に、Ｉ／Ｑ変調における位相回転方向を正しい状態に調整することができる。なお、図１３の処理フローはＦＳＫ−ＳＶ通信中、繰り返し行われるのでループになっているが、ＴＲＰＮ  Ａからの設定完了通知を受信したときに終了する構成にしてもよい。
【００５８】
＜第１実施形態の変形例＞
図１４は、第１実施形態の変形例の伝送システム１Ａの概略図である。伝送システム１Ａでは、マスターとして動作する伝送装置２Ａと、スレーブとして動作する伝送装置２Ｂの間で、２通りの試行パターンでＦＳＫ−ＳＶ信号が偏波間で打ち消されているかどうかを判断し、ビット反転は、受信側で反転することで正しい値にする。伝送装置２Ａの「IQ  swap」状態を２通りに設定し、伝送装置２Ｂに指示する「IQ  swap」状態を２通りとすることで、２×２の４通りの試行パターンで、双方の装置の「IQ  swap」状態を適切な状態に制御する。
【００５９】
伝送装置２Ａと伝送装置２Ｂは、それぞれ図５の光送信器１０と、図９の光受信器２０を有し、基本構成は、上述した実施例と同じである。これに加えて、伝送装置２Ａと伝送装置２Ｂは、それぞれメモリ１５１に保存された所定のビットパターン１５２と、ビット反転照合機構２５７を有する。ビットパターン１５２は、たとえば疑似ランダムビットシーケンスである。
【００６０】
図１５は、２通りの試行パターンでの「IQ  swap」の設定例を示す。たとえば、状態設定の試行パターンとして「swapなし」と「Ｘのみswap」を用いる。Ｉ／Ｑ変調器の出力光の位相が、Ｘ偏波とＹ偏波の双方で正しい方向に回転している場合、信号値は相殺されず、ビット反転も生じない。Ｘ偏波とＹ偏波の双方で位相回転方向が反転しているときはＩＱスワップ部１２３で「swapなし」状態が設定されたとき、信号値は相殺されないが、ビットが反転する。
【００６１】
Ｉ／Ｑ変調器の出力光の位相回転方向がＸ偏波で反転しているとき、ＩＱスワップ部１２３で「Ｘのみswap」が設定されることで、Ｘ偏波の位相回転方向が正しい方向に訂正され、値は相殺されず、かつビット反転も生じない。Ｉ／Ｑ変調器の出力光の位相回転方向がＹ偏波で反転しているとき、ＩＱスワップ部１２３で「Ｘのみswap」が設定されることで、Ｘ偏波とＹ偏波の位相回転方向がともに反転し、値は相殺されないが、ビット反転が起きる。
【００６２】
そこで、値の相殺については２通りの試行パターンで対処し、ビット反転が生じている場合は、受信側でビット反転することで正しい値を得る。
【００６３】
図１４に戻って、伝送装置２Ａは、自装置のＩＱスワップ部１２３の「IQ  swap」状態を、たとえば「swapなし」に設定し、伝送装置２Ｂに対する指示コマンドを、順次「swapなし」と「Xのみswap」に切り替えて、所定のビットパターンとともにＦＳＫ−ＳＶ信号を送信する。伝送装置２Ａの実際の位相回転状態が、Ｘ偏波とＹ偏波のいずれか一方で反転している場合は、伝送装置２Ａでの「swapなし」の設定は不正解であり、ＦＳＫ−ＳＶ信号は伝送装置２Ｂで受信されない。伝送装置２Ａは、自装置の「IQ  swap」状態を「Ｘのみswap」に切り替えて、指示コマンドを「swapなし」と「Ｘのみswap」に切り替えながらＦＳＫ−ＳＶ信号を送信する。
【００６４】
伝送装置２Ｂは、ＦＳＫ−ＳＶ信号が受信できたならば、自装置のＩＱスワップ部１２３の状態を指示コマンドで指示された状態に設定し、受信できたことを示す規定の値を、所定のビットパターンとともに伝送装置２Ａに送信する。伝送装置２Ｂはまた、受信したビットパターンを自装置が有するビットパターン１５２と照合する。一致しない場合は、ビット反転照合機構２５７でビット反転して、再度ビットパターンを照合する。ビット反転によってパターンが一致したならば、伝送装置２Ｂは以降のＦＳＫ−ＳＶ通信で、ビット反転して受信する。
【００６５】
伝送装置２Ａは、伝送装置２Ｂから既定値をビットパターンとともに受信することで、自装置に設定されている「IQ  swap」状態と、伝送装置２Ｂに設定されている「IQ  swap」状態で問題がないと認識する。伝送装置２Ａは、ビットパターンを照合し、一致するときは、以降の通信でビット反転なしでＦＳＫ−ＳＶ信号を受信する。ビットパターンが一致しないときは、以降の通信でＦＳＫ−ＳＶ信号をビット反転して受信する。
【００６６】
変形例では、ビット反転を利用して、少ない試行パターンで対向する伝送装置２Ａと伝送装置２Ｂの間で正しい「IQ  swap」状態に制御し、ＦＳＫ信号の打ち消し合いを防止してＳＦＫ−ＳＶ信号の送受信を可能にする。
【００６７】
＜第２実施形態＞
図１６は、第２実施形態の伝送システム１Ｂの概略図である。第２実施形態では、伝送装置２Ａと伝送装置２Ｂは対等構成であり、ＦＳＫ−ＳＶ通信を用いて、双方向で同時または近接した時間内で「IQ  swap」状態を調整する。
【００６８】
伝送装置２Ａは、自装置が送信するＳＶ信号を管理する送信ＳＶ管理部１１５Ａと、受信したＳＶ信号を管理する受信ＳＶ管理部２５５Ａを有する。送信ＳＶ管理部１１５Ａは自装置が送信する「TX  swap」値Ａと、伝送装置２Ｂから送られてきた「TX  swap」値Ｂの受信状況を示す「RX  swap」値Ｂを管理する。受信ＳＶ管理部２５５Ａは、伝送装置２Ｂから送信されてきた「TX  swap」値Ｂと、自装置が送信した「TX  swap」値Ａの相手装置（伝送装置２Ｂ）での受信状態を示す「RX  swap」値Ａを管理する。
【００６９】
送信ＳＶ管理部１１５Ａは、伝送装置２Ａの光送信器１０の制御プロセッサ１１（図５参照）内に設けられてもよい。受信ＳＶ管理部２５５Ａは、伝送装置２Ａの光受信器２０のＦＳＫ監視信号受信回路２５（図９参照）内に設けられてもよい。あるいは、光送信器１０と光受信器２０に共通で用いられるプロセッサ内に配置されてもよい。「TX  swap」値Ａと「RX  swap」値Ｂは、メモリ領域１１６Ａに保存される。メモリ領域１１６Ａは、制御プロセッサ１１内、共通プロセッサ内のメモリに設けられてもよい。「TX  swap」値Ｂと「RX  swap」値Ａは、メモリ領域２５６Ａに保存される。メモリ領域２５６Ａは、光受信器２０のＤＳＰ２４内、または共通プロセッサのメモリ内に設けられてもよい。
【００７０】
同様に、伝送装置２Ｂは、自装置が送信するＳＶ（監視制御）信号を管理する送信ＳＶ管理部１１５Ｂと、受信したＳＶ信号を管理する受信ＳＶ管理部２５５Ｂを有する。送信ＳＶ管理部１１５Ｂは、自装置が送信する送信スワップ「TX  swap」値Ｂと、伝送装置２Ａから送られてきた「TX  swap」値Ａの自装置での受信状況を示す「RX  swap」値Ａを管理する。受信ＳＶ管理部２５５Ｂは、伝送装置２Ａから送信されてきた「TX  swap」値Ａと、自装置が送信した「TX  swap」値Ｂの相手装置（伝送装置２Ａ）での受信状態を示す「RX  swap」値Ｂを管理する。
【００７１】
伝送装置２Ａと伝送装置２Ｂは、互いに相手から送信されてきたＦＳＫ信号の受信の成否と、受信情報（「TX  swap」値と「RX  swap」値）に基づいて自装置の「IQ  swap」状態を切り替えながら、正しい「IQ  swap」状態へと自動調整する。
【００７２】
「TX  swap」値には、自装置の「IQ  swap」状態を示す４通の値が含まれる。４通りの値は、動作例１と同様に、「swapなし」、「Ｘのみswap」、「Ｙのみswap」、及び「ＸＹ両方swap」である。
【００７３】
「RX  swap」値には、ＦＳＫ−ＳＶ信号の受信に成功したときに受信された「TR  swap」の値が書き込まれる。「RX  swap」値には、「swapなし」、「Ｘのみswap」、「Ｙのみswap」、「ＸＹ両方swap」、及び「不明」の５通りの値が含まれる。
【００７４】
一例として、伝送装置２Ａは、太い実線で示すように、まず「TX  swap」値Ａを「swapなし」に設定し、「RX  swap」値Ｂを「不明」に設定して、ＦＳＫ−ＳＶ信号を光伝送路３に出力する。
【００７５】
このＦＳＫ−ＳＶ信号が伝送装置２Ｂで受信されると、「TX  swap」値Ａは、伝送装置２Ｂの受信ＳＶ管理部２５５Ｂの「TX  swap」値Ａに書き込まれ、かつ、送信ＳＶ管理部１１５Ｂの「RX  swap」値Ａに書き込まれる。これにより、伝送装置２Ｂは、伝送装置２Ａの正しい「IQ  swap」状態は「swapなし」であることがわかる。「RX  swap」値Ａは、伝送装置２Ｂの「TX  swap」値とともに、ＦＳＫ−ＳＶ信号として光伝送路４で伝送装置２Ａに送信される。
【００７６】
伝送装置２ＡがＦＳＫ−ＳＶ信号を受信できた場合に、受信ＳＶ管理部２５５Ａに「RX  swap」値Ａと「TX  swap」値Ｂが書き込まれる。これにより、伝送装置２Ａは、自装置の正しい「IQ  swap」状態がわかり、伝送装置２Ａから伝送装置２Ｂへの経路での「IQ  swap」状態が正しく設定される。
【００７７】
同様に、伝送装置２Ｂは、太い破線で示すように、まず「TX  swap」値Ｂを「swapなし」に設定し、「RX  swap」値Ａを「不明」に設定して、ＦＳＫ−ＳＶ信号を光伝送路４に出力する。このＦＳＫ−ＳＶ信号が伝送装置２Ａで受信されると、「TX  swap」値Ｂは、伝送装置２Ａの受信ＳＶ管理部２５５Ａの「TX  swap」値Ｂに書き込まれ、かつ、送信ＳＶ管理部１１５Ａの「RX  swap」値Ｂに書き込まれる。「RX  swap」値Ｂに書き込まれた値は次の送信タイミングで「TX  swap」値ＡとともにＦＳＫ−ＳＶ信号として光伝送路３に送信される。伝送装置２ＢがＦＳＫ−ＳＶ信号を受信できた場合に、受信ＳＶ管理部２５５Ｂに「RX  swap」値Ｂが書き込まれる。この時点で、伝送装置２Ｂは自装置の正しい「IQ  swap」状態がわかり、伝送装置２Ｂから伝送装置２Ａへの経路での「IQ  swap」状態が正しく設定される。
【００７８】
図１７は、第２実施形態の動作のフローチャートである。この動作フローは、伝送装置２Ａと伝送装置２Ｂのそれぞれで行われる。たとえば、伝送装置２Ａの動作に着目して説明する。まず、伝送装置２Ａは、自装置の「TX  swap」値を順番に変え、「RX  swap」値を「不明」にして、ＦＳＫ−ＳＶ信号を繰り返し送信する（Ｓ３１）。この状態を、状態０とする。
【００７９】
次に、伝送装置２ＢからのＦＳＫ−ＳＶ信号の受信に成功したならば、そのときに受信した伝送装置２Ｂの「TX  swap」値を、自装置が送信する「RX  swap」値に書き込んでＦＳＫ信号を送信する（Ｓ３２）。この時点で、相手側の伝送装置２Ｂの正しい「IQ  swap」状態がわかる。この状態を、状態１とする。
【００８０】
伝送装置２Ａは、自装置の正しい「IQ  swap」状態が依然として不明であるため、自装置の「TX  swap」値を順番に変えながら、ＦＳＫ−ＳＶ信号を送り続ける（Ｓ３３）。伝送装置２Ｂから、「RX  swap」値が「不明」以外の値を有するＦＳＫ−ＳＶ信号を受信したら、自装置の「IQ  swap」状態をその「RX  swap」値に設定し、かつ送信ＳＶ管理部１１１の「RX  swap」値をその値に固定する（Ｓ３４）。この時点で、伝送装置２Ａは、自装置の「IQ  swap」状態がわかる。この状態を、状態２とする。
【００８１】
次に、受信ＳＶ管理部２５５Ａで管理される「TX  swap」値と「RX  swap」値が変化しなくなったか否かを判断する（Ｓ３５）。「TX  swap」値と「RX  swap」値が変化しなくなるまで、ステップＳ３３〜Ｓ３５を繰り返す。「TX  swap」値と「RX  swap」値が変化しなくなると、双方向で正しい「IQ  swap」状態に設定されたことが分かり（Ｓ３５でＹＥＳ）、処理を終了する。
【００８２】
図１８は、伝送装置２Ａ（または２Ｂ）の状態遷移を説明する図である。以下では、「伝送装置２」と総称する。
【００８３】
状態０は、自装置の正しい「IQ  swap」状態も、相手側の装置の正しい「IQ  swap」状態もわからない状態である。状態０への遷移の条件は、初期状態の設定である。伝送装置２は自装置の「IQ  swap」状態を切り替えながらＦＳＫ−ＳＶ信号を送信する。送信されるＳＶ信号の値について、「TX  swap」値は順次切換えられ、「RX  swap」値は「不明」を示す値に設定される。
【００８４】
状態１は、自装置の正しい「IQ  swap」状態はわからないが、相手装置の正しい「IQ  swap」状態がわかる状態である。状態１への遷移条件はＦＳＫ−ＳＶ信号の受信成功である。この場合は、伝送装置２は自装置の「RX  swap」値に、相手装置から送られてきた「TX  swap」値を書き込む。送信されるＳＶ信号の値について、「TX  swap」値は順次切換えられ、「RX  swap」値は受信された相手装置の「TX  swap」値に固定される。
【００８５】
状態２は、自装置の正しい「IQ  swap」状態と、相手装置の正しい「IQ  swap」状態がわかる状態である。状態２への遷移条件は、ＦＳＫ−ＳＶ信号の受信が成功し、かつ受信した「RX  swap」値が「不明」以外の値を有することである。この場合、伝送装置２は、自装置の「IQ  swap」状態を受信した「RX  swap」値に、相手装置から送られてきた「TX  swap」値を書き込む。送信されるＳＶ信号の値について、「TX  swap」値は受信した「RX  swap」値に固定され、「RX  swap」値は先に設定された相手装置の「TX  swap」値に固定されている。
【００８６】
状態３は、伝送装置２が自装置の正しい「IQ  swap」状態と、相手装置の正しい「IQ  swap」状態を認識し、かつ相手側の装置も双方の正しい「IQ  swap」状態を知っていることを認識する状態である。状態３への遷移条件は、ＦＳＫ−ＳＶ信号の受信が連続して成功しており、かつ「RX  swap」が「不明」以外の値を有する場合である。この場合、伝送装置２は「IQ  swap」判定処理を完了する。
【００８７】
＜第２実施形態の動作例１＞
図１９は、第２実施形態の動作例１を示す図である。動作例１では、伝送装置２Ａ（「ＴＲＰＮ  Ａ」と標記）と、伝送装置２Ｂ（「ＴＲＰＮ  Ｂ」と標記）は、同時に「IQ  swap」状態を設定する。伝送装置２Ａでは、Ｘ偏波とＹ偏波の双方で位相回転方向の反転が生じており、ＩＱスワップ部１２３に設定されるべき正しい「IQ  swap」状態は、「ＸＹ両方swap」である。伝送装置２Ｂでは、Ｙ偏波でのみ位相回転方向が反転しており、ＩＱスワップ部１２３に設定されるべき正しい「IQ  swap」状態は、「Ｙのみswap」である。伝送遅延時間は、６単位時間であると想定する。
【００８８】
伝送装置２Ａは、時間ｔ＝０からｔ＝７まで状態０にある。状態０では、送信ＳＶ信号の「RX  swap」値は「不明」に設定され、「TX  swap」値は順次切り替えられてＦＳＫ−ＳＶ信号が送信される。伝搬遅延時間により、ｔ＝５になるまで伝送装置２ＢからのＦＳＫ―ＳＶ信号は伝送装置２Ａに到達しない。ｔ＝６とｔ＝７では、伝送装置２Ｂで設定されている「IQ  swap」状態が正しくないため、伝送装置２ＡはＦＳＫ−ＳＶ信号を受信できない。
【００８９】
ｔ＝８で、伝送装置２Ｂからの「TX  swap」値が受信されて、状態１に遷移する。受信された「TX  swap」値に含まれる値は「Ｙのみswap」であり（図中、「Ｙ」と省略）、この値が送信ＳＶ信号の「RX  swap」値に書き込まれる。以降は、送信ＳＶ信号の「RX  swap」値は「Ｙ」に固定される。他方、送信ＳＶ信号の「TX  swap」値は、状態遷移のトリガが発生するまで順次切り替えられて、ＦＳＫ−ＳＶ信号が送信される。
【００９０】
ｔ＝１６で、伝送装置２Ａは初めて受信ＳＶ信号で「不明」以外の値の「RX  swap」値を受信して状態２に遷移する。すなわち、伝送装置２Ａは、自装置の正しい「IQ  swap」状態は「ＸＹ両方swap」（図中「ＸＹ」と省略）であり、かつ伝送装置２Ｂの正しい「IQ  swap」値は「Ｙ」であることを認識する。以降は送信ＳＶ信号の「TX  swap」値は「ＸＹ」に固定される。
【００９１】
ｔ＝２３以降、伝送装置２ＢからのＦＳＫ−ＳＶ信号の受信が連続して成功して、状態３に遷移する。伝送装置２Ａは、受信ＳＶ信号の「RX  swap」値が自装置の正しい「IQ  swap」状態である「ＸＹ」を示し、「TX  swap」値が伝送装置２Ｂの正しい「IQ  swap」状態である「Ｙ」を示していると認識する。すなわち、伝送装置２Ｂでも両装置の正しい「IQ  swap」状態の設定完了が認識されていることを知る。
【００９２】
一方、伝送装置２Ｂでは、ｔ＝９に初めて伝送装置２ＡからのＦＳＫ−ＳＶ信号の受信に成功し、状態１に遷移する。伝送装置２Ｂは、受信ＳＶ信号に含まれる「TX  swap」値から、伝送装置２Ａの正しい「IQ  swap」状態が「ＸＹ」であることを認識し、この値を送信ＳＶ信号の「RX  swap」値に書き込む。以降は、伝送装置２Ｂの送信ＳＶの「RX  swap」値は「ＸＹ」に固定される。他方、送信ＳＶの「TX  swap」値は、ｔ＝１７まで順次切り替えられて、ＦＳＫ−ＳＶ信号が送信される。
【００９３】
ｔ＝１７で、伝送装置２Ｂは初めて「不明」以外の値の「RX  swap」値を受信して状態２に遷移する。これにより、伝送装置２Ｂは、自装置の正しい「IQ  swap」状態は「Ｙのみswap」（図中、「Ｙ」と省略）であることを知り、以降は送信ＳＶ信号の「TX  swap」値を「Ｙ」に固定する。
【００９４】
ｔ＝２１以降、伝送装置２ＡからのＦＳＫ−ＳＶ信号の受信が連続して成功して、状態３に遷移する。伝送装置２Ｂは、双方の装置で「IQ  swap」値が正しく設定されていることを認識して、「IQ  swap」状態の判定処理を終了する。
【００９５】
この動作により、伝送装置２Ａと伝送装置２Ｂの間でほぼ同時または近接した時間に正しい「IQ  swap」の設定を完了することができる。
【００９６】
図２０は、図１９における伝送装置２Ａと伝送装置２Ｂの間の動作のフローを示す。時間ｔ＝０からＴＲＰＮ  Ａ（伝送装置２Ａ）とＴＲＰＮ  Ｂ（伝送装置２Ｂ）は、自装置の「IQ  swap」状態を切り替えながら、送信を開始する（Ｓ４１）。この間の状態は、状態０である。
【００９７】
所定時間の経過後（たとえばｔ＝８）、ＴＲＰＮ  Ａは初めてＦＳＫ−ＳＶ信号の受信に成功し、ＴＲＰＮ  Ｂの正しい「IQ  swap」状態を知る。ＴＲＰＮ  Ｂからの受信ＳＶ信号の「TX  swap」値を自装置の送信ＳＶ信号の「RX  swap」値に書き込んで、正解を通知する（Ｓ４２）。ここまでの状態は、状態１である。
【００９８】
ＴＲＰＮ  Ｂは、たとえばｔ＝１７で、ＴＲＰＮ  Ａからの受信ＳＶ信号に含まれる「RX  swap」値が「不明」以外の値であるＦＳＫ−ＳＶ信号を初めて受信し、自装置の「IQ  swap」状態の正解が「Ｙのみswap」であると知る。ＴＲＰＮ  Ｂは自装置の「IQ  swap」状態を「Ｙ」に固定し、同時に、送信ＳＶの「TX  swap」値を「Ｙ」に固定する（Ｓ４３）。ここまでが、状態２である。
【００９９】
ＴＲＰＮ  Ａはｔ＝２３以降、ＴＲＰＮ  Ｂはｔ＝２１以降、受信ＳＶ信号の「TX  swap」値と「RX  swap」値が変化しないことを確認し、判定処理を終了する（Ｓ４４）。この状態が、状態３である。
【０１００】
動作例１では、対向する伝送装置間でほぼ同時に正しい「IQ  swap」状態に設定することができる。
【０１０１】
＜第２実施形態の動作例２＞
図２１は、第２実施形態の動作例２を示す。動作例２では伝送装置２Ａと伝送装置２Ｂの間で、順番に「IQ  swap」状態の制御動作を開始する。ｔ＝０から伝送装置２Ｂは自装置の「IQ  swap」状態を切り替えながらＦＳＫ−ＳＶ信号を送信する。
【０１０２】
ｔ＝８で伝送装置２Ａは初めてＦＳＫ−ＳＶ信号を受信し、伝送装置２Ｂの正しい「IQ  swap」状態が「Ｙ」であると認識して、状態１に遷移する。伝送装置２Ａは、受信ＳＶ信号に含まれる「TX  swap」値を自装置の送信ＳＶの「RX  swap」値に書き込む。伝送装置２Ａは、送信ＳＶの「RX  swap」値を「Ｙ」に固定し、自装置の「IQ  swap」状態を順次切り替えて、ＦＳＫ−ＳＶ信号を送信する。
【０１０３】
ｔ＝１７で、伝送装置２Ｂは、初めて伝送装置２ＡからＦＳＫ信号を受信し、受信ＳＶに含まれる「TX  swap」値から、伝送装置２Ａの正しい「IQ  swap」状態は「ＸＹ」であることを知る。同時に、受信ＳＶに含まれる「RX  swap」値が「不明」以外であることから、自装置の正しい「IQ  swap」状態が「Ｙ」であることを知る。この時点で伝送装置２Ｂは、状態２に遷移する。伝送装置２Ｂでは、自装置と相手側の伝送装置２Ａの正しい状態を同時に認識したため、状態０から状態２に遷移する。以降は、送信ＳＶ信号の「TX  swap」値を「Ｙ」に固定し「RX  swap」値を「ＸＹ」に固定してＦＳＫ−ＳＶ信号を送信し続ける。
【０１０４】
ｔ＝２３で、伝送装置２Ａは、「不明」以外の「RX  swap」値を有するＦＳＫ−ＳＶ信号を受信する。伝送装置２Ａは、自装置の正しい「IQ  swap」状態を認識して「IQ  swap」状態を「ＸＹ」に固定し、かつ、この値を送信ＳＶ信号の「TX  swap」値に書き込む。ｔ＝２３以降、伝送装置２Ａは連続してＦＳＫ信号を受信することから、伝送装置２Ａはｔ＝２３で、状態１から状態３に遷移する。
【０１０５】
一方、伝送装置２Ｂは、６単位時間の伝送遅延後のｔ＝２９以降、連続してＦＳＫ−ＳＶ信号を受信し、「IQ  swap」状態の判定処理を終了する。
【０１０６】
動作例２では、伝送装置２Ａと伝送装置２Ｂの間で同時にＦＳＫ−ＳＶ信号の送信を開始する必要がなく、いずれか一方の伝送装置がＦＳＫ−ＳＶ信号を用いた「IQ  swap」状態の制御動作を開始し、相手側の装置でＦＳＫ−ＳＶ信号が受信されたときから強調動作が行われる。この方法でも、ＤＳＮコントローラを介在させずに、双方向で自律的に正しい「IQ  swap」状態に制御して、Ｉ／Ｑ変調器から出力される光信号の位相回転方向を正しく維持することができる。
【０１０７】
図２２は、図２１の動作のフローチャートである。ｔ＝０でＴＲＰＮ  Ｂは自装置の「IQ  swap」状態を切り替えながらＦＳＫ−ＳＶ信号を送信する（Ｓ５１）。
【０１０８】
ｔ＝８でＴＲＰＮ  Ａは初めてＦＳＫ−ＳＶ信号を受信し、ＴＲＰＮ  Ｂの正しい「IQ  swap」状態が「Ｙ」であると認識する。ＴＲＰＮ  Ａ、受信ＳＶ信号に含まれる「TX  swap」値を自装置の送信ＳＶの「RX  swap」値に書き込み、自装置の「IQ  swap」状態を順次切り替えながら、ＦＳＫ−ＳＶ信号を送信する（Ｓ５２）。
【０１０９】
ｔ＝１７で、ＴＲＰＮ  Ｂは、初めてＴＲＰＮ  ＡからＦＳＫ信号を受信し、かつ受信ＳＶに含まれる「RX  swap」値が「不明」以外であることから、ＴＲＰＮ  Ａの正しい「IQ  swap」状態と、自装置の正しい「IQ  swap」状態を同時に知る（Ｓ５３）。ＴＲＰＮ  Ｂは、自装置の「IQ  swap」状態を「Ｙ」に固定し、自装置の送信ＳＶ信号の「TX  swap」値を「Ｙ」に設定する。同時に、受信した「TX  swap」値を送信ＳＶ信号の「RX  swap」値に書き込んで、ＦＳＫ−ＳＶ信号を送信する（Ｓ５３）。
【０１１０】
ｔ＝２３で、ＴＲＰＮ  Ａは、受信ＳＶ信号の「RX  swap」値から自装置の正しい「IQ  swap」状態を認識して「IQ  swap」状態を「ＸＹ」に固定し、かつ、この値を送信ＳＶ信号の「TX  swap」値に書き込む（Ｓ５４）。
【０１１１】
ＴＲＰＮ  Ａはｔ＝２３以降、ＴＲＰＮ  Ｂはｔ＝２９以降で、受信ＳＶ信号に含まれる「TX  swap」値と「RX  swap」値が変化しなくなるのを確認して、処理を終了する（Ｓ５５）。
【０１１２】
動作例２では、対向する伝送装置間で、伝送遅延時間の分だけ正しい「IQ  swap」状態への設定に時間差が生じるが、同時に制御処理を開始する必要がなく、制御動作も簡単になる。
【０１１３】
以上、特定の実施形態に基づいて発明を説明したが、本発明は上述した実施形態に限定されない。上述した「IQ  swap」制御は、送信側のＤＳＰで予等化が行われる場合の光信号の位相回転方向の修正にも適用可能である。また、Ｉ／Ｑ変調器の出力光の位相回転状態を制御する「IQ  swap」制御は、ＤＳＰによるＩ／Ｑチャネルの入れ替えまたは符号反転に限定されない。たとえば、ドライバ１６−１とドライバ１６−２への信号経路、及び／またはドライバ１６−３とドライバ１６−４への信号経路をスイッチ、トランジスタ等で切り換える構成にしてもよい。
【０１１４】
マスター−スレーブ方式で伝送装置２Ｂが指示コマンドを受信できたときに返信する規定の値は、「１」あるいは「０」の値に限定されず、他の受信通知を行ってもよい。これにより対向する伝送装置間でのビット反転や値の打ち消し合いの問題を解決して、ＦＳＫ−ＳＶ信号を用いた自動制御の品質が向上する。
【０１１５】
以上の説明に対し、以下の付記を呈示する。
（付記１）
第１伝送装置と第２伝送装置の間で周波数変調方式で監視信号の送受信を行う伝送システムであって、
前記第１伝送装置は、前記第１伝送装置のＩ／Ｑ変調器の出力光の第１の位相回転状態を切り換えながら、前記第２伝送装置のＩ／Ｑ変調器の出力光の第２の位相回転状態の設定を切り換えるコマンドを前記監視信号で前記第２伝送装置に送信し、
前記第２伝送装置は、前記監視信号を受信したときに、前記第２の位相回転状態を前記コマンドで指示される状態に設定し、受信通知を前記第１伝送装置に送信する、
ことを特徴とする伝送システム。
（付記２）
前記第１伝送装置は、前記受信通知を受け取ると、前記受信通知を受け取る直前の状態に前記第１の位相回転状態を固定することを特徴とする付記１に記載の伝送システム。
（付記３）
前記第１伝送装置は、前記受信通知を受け取ると前記コマンドの送信を終了し、
前記第２伝送装置は、最後の前記コマンドで指示された前記第２の位相回転状態の設定に固定することを特徴とする付記２に記載の伝送システム。
（付記４）
前記第１伝送装置は、前記コマンドとともに所定のビットパターンを送信し、
前記第２伝送装置は、前記コマンドを受信したときに、前記ビットパターンのビット反転の有無を判定し、ビット反転が起きているときは、以降の信号をビット反転して受信することを特徴とする付記１に記載の伝送システム。
（付記５）
前記第２伝送装置は、前記受信通知とともに前記ビットパターンを送信し、
前記第１伝送装置は、前記受信通知を受信した場合に前記ビットパターンのビット反転の有無を反転し、ビット反転が起きているときに、以降の信号をビット反転して受信することを特徴とする付記４に記載の伝送システム。
（付記６）
第１伝送装置と第２伝送装置の間で周波数変調方式で監視信号の送受信を行う伝送システムで用いられる第１伝送装置であって、
前記第１伝送装置の第１のＩ／Ｑ変調器の出力光の第１の位相回転状態を切り換えながら、前記第２伝送装置の第２のＩ／Ｑ変調器の出力光の第２の位相回転状態の設定を指示するコマンドを前記監視信号で送信する光送信器、
を有し、
前記光送信器は、前記第２の位相回転状態の設定の指示を切り換えながら前記コマンドを送信することを特徴とする第１伝送装置。
（付記７）
前記第２伝送装置から前記監視信号が受信されたことを示す通知を前記監視信号で受信する光受信器、
を有し、前記光送信器は、前記第１の位相回転状態を、前記通知が受信されたときに設定されている状態に固定することを特徴とする付記６に記載の第１伝送装置。
（付記８）
前記第２伝送装置から前記監視信号が受信されたことを示す通知を受信する光受信器、
を有し、前記光送信器は、前記通知を受信すると前記コマンドの送信を終了することを特徴とする付記６に記載の第１伝送装置。
（付記９）
前記光送信器は、前記第１の位相回転状態を、少なくとも、前記第１のＩ／Ｑ変調器の出力光のＸ偏波とＹ偏波の位相回転方向を同じにする第１パターンと、前記Ｘ偏波と前記Ｙ偏波のいずれか一方の位相回転方向を反転させる第２パターンの間で切り換えることを特徴とする付記６〜８のいずれかに記載の第１伝送装置。
（付記１０）
前記光送信器は、前記第１のＩ／Ｑ変調器に入力される同相チャネルと直交位相チャネルの信号を入れ替える、または前記同相チャネルと前記直交位相チャネルのいずれか一方で符号反転させることで前記第１の位相回転状態を切り替えることを特徴とする付記６〜９のいずれかに記載の第１伝送装置。
（付記１１）
前記光送信器は、前記第２の位相回転状態を、少なくとも、前記第２のＩ／Ｑ変調器の出力光のＸ偏波とＹ偏波の位相回転方向を同じにする第１設定と、前記Ｘ偏波と前記Ｙ偏波のいずれか一方の位相回転方向を反転させる第２設定の間で切り換える指示を前記コマンドで送信することを特徴とする付記６〜１０のいずれかに記載の第１伝送装置。
（付記１２）
第１伝送装置と第２伝送装置の間で周波数変調方式で監視信号の送受信を行う伝送システムで用いられる第２伝送装置であって、
前記第１伝送装置から、前記第２伝送装置のＩ／Ｑ変調器の出力光の第２の位相回転状態の設定を指示するコマンドを前記監視信号で受信する光受信器と、
前記コマンドを受信したときに、前記第２の位相回転状態を前記コマンドで指示されている状態に設定し、かつ前記コマンドの受信を示す受信通知を前記第１伝送装置に送信する光送信器と、
を有することを特徴とする第２伝送装置。
（付記１３）
前記受信器は、ビット反転照合機構、
を有し、前記ビット反転照合機構は、前記コマンドが受信されたときに、前記コマンドとともに送られてくる所定のビットパターンにおけるビット反転の有無を判定し、ビット反転が起きているときは、以降の信号をビット反転して受信する、
ことを特徴とする付記１２に記載の第２伝送装置。
（付記１４）
第１伝送装置と第２伝送装置の間で周波数変調方式で監視信号の送受信を行う伝送システムであって、
前記第１伝送装置は、前記第１伝送装置のＩ／Ｑ変調器の出力光の第１の位相回転状態の設定を切り換えながら、前記第１の位相回転状態の設定を示す第１の送信値を前記監視信号を用いて前記第２伝送装置に送信し、
前記第２伝送装置は、前記第２伝送装置のＩ／Ｑ変調器の出力光の第２の位相回転状態の設定を切り換えながら、前記第２の位相回転状態の設定を示す第２の送信値を前記監視信号を用いて前記第１伝送装置に送信し、
前記第２伝送装置は、前記第１の送信値を受信したならば、前記第２の送信値とともに前記第１の送信値を前記第１伝送装置に送信する、
ことを特徴とする伝送システム。
（付記１５）
前記第１伝送装置は、前記第２伝送装置から前記第１の送信値を受信したならば、前記第１の位相回転状態を前記第１の送信値で示される設定に固定することを特徴とする付記１４に記載の伝送システム。
（付記１６）
前記第１伝送装置は、前記第２の送信値を受信したならば、前記第１の送信値とともに前記第２の送信値を前記第２伝送装置に送信し、
前記第２伝送装置は、前記第２の送信値を受信したならば、前記第２の位相回転状態を前記第２の送信値で示される設定に固定することを特徴とする付記１４または１５に記載の伝送システム。
（付記１７）
前記第１伝送装置と前記第２伝送装置は、前記監視信号を用いた前記第１の送信値と前記第２の送信値の送信を同時または順次に行うことを特徴とする付記１４〜１６のいずれかに記載の伝送システム。
（付記１８）
第１伝送装置と第２伝送装置の間で周波数変調方式で監視信号の送受信を行う伝送システムで用いられる第１伝送装置であって、
前記第１伝送装置のＩ／Ｑ変調器の出力光の第１の位相回転状態の設定を切り換えながら、前記第１の位相回転状態の設定を示す第１の送信値を前記監視信号を用いて前記第２伝送装置に送信する光送信器と、
前記第２伝送装置から、前記監視信号を受信する光受信器と、
を有し、
前記光送信器は、前記第１の送信値が前記第２伝送装置から返送されて前記光受信器で受信されたときに、前記第１の位相回転状態を前記第１の送信値で示される状態に固定することを特徴とする第１伝送装置。
（付記１９）
前記光受信器は、前記第２伝送装置のＩ／Ｑ変調器の出力光の第２の位相回転状態の設定を示す第２の送信値を前記監視信号で受信し、
前記光送信器は、前記第２の送信値が受信されたならば、前記第１の送信値とともに前記第２の送信値を前記第２伝送装置に送信する、
ことを特徴とする付記１８に記載の第１伝送装置。
（付記２０）
第１伝送装置と第２伝送装置の間で周波数変調方式で監視信号の送受信を行う伝送システムの制御方法であって、
前記第１伝送装置で自装置のＩ／Ｑ変調器の出力光の第１の位相回転状態を切り換えながら、前記第２伝送装置のＩ／Ｑ変調器の出力光の第２の位相回転状態の設定を指示するコマンドを前記監視信号で前記第２伝送装置に送信し、
前記第２伝送装置で前記監視信号が受信されたとときに、前記第２の位相回転状態を前記コマンドで指示される状態に設定し、かつ、前記第１伝送装置に受信通知を送信する、
ことを特徴とする制御方法。
【符号の説明】
【０１１６】
１、１Ａ、１Ｂ  伝送システム
２Ａ  伝送装置（第１伝送装置）
２Ｂ  伝送装置（第２伝送装置）
１０  送信器
１１  制御プロセッサ
１２  ＤＳＰ
１３  送信フロントエンド回路
１７Ｘ、１７Ｙ  Ｉ／Ｑ変調器
２０  受信器
２１  受信フロントエンド回路
２２  ＬＯ（局発光源）
２４  ＤＳＰ
２５  ＦＳＫ監視信号受信回路
２６  主信号受信回路
１１１  ＳＶ信号生成器
１１２  指示コマンド生成器
１１３  通知値生成器
１１４  ＩＱスワップ切換え／設定部
１１５Ａ，１１５Ｂ  送信ＳＶ管理部
１１６Ａ、１１６Ｂ  メモリ領域
１２１  主信号処理部
１２２  ＦＳＫ重畳部
１２３  ＩＱスワップ部
１５１  メモリ
１５２  ビットパターン
２５１  ＦＳＫ信号検出回路
２５２  指示コマンド受信回路
２５３  通知値受信回路
２５５Ａ、２５５Ｂ  受信ＳＶ管理部
２５６Ａ、２５６Ｂ  メモリ領域
２５７  ビット反転照合機構
【図１Ａ】
2019022060.tif 000003
【図１Ｂ】
2019022060.tif 000004
【図２】
2019022060.tif 000005
【図３】
2019022060.tif 000006
【図４】
2019022060.tif 000007
【図５】
2019022060.tif 000008
【図６】
2019022060.tif 000009
【図７】
2019022060.tif 000010
【図８】
2019022060.tif 000011
【図９】
2019022060.tif 000012
【図１０】
2019022060.tif 000013
【図１１】
2019022060.tif 000014
【図１２】
2019022060.tif 000015
【図１３】
2019022060.tif 000016
【図１４】
2019022060.tif 000017
【図１５】
2019022060.tif 000018
【図１６】
2019022060.tif 000019
【図１７】
2019022060.tif 000020
【図１８】
2019022060.tif 000021
【図１９】
2019022060.tif 000022
【図２０】
2019022060.tif 000023
【図２１】
2019022060.tif 000024
【図２２】
2019022060.tif 000025